(57)【特許請求の範囲】
【請求項１】
入力されるアナログ映像信号をデジタル映像信号に変換するＡ／Ｄ変換手段と、前記Ａ／Ｄ変換手段から出力されるデジタル映像信号に対して自動画像補正機能の処理を実行する処理手段とを備えた映像信号処理装置であって、
前記アナログ映像信号の信号形態を当該映像信号の水平／垂直の信号周波数、水平／垂直の同期信号極性および垂直ライン数に基づいて絞り込む絞込み手段と、
前記絞込み手段によって絞り込まれた複数の候補の信号形態の中から前記アナログ映像信号の信号形態を特定する特定手段とを備え、
前記特定手段は、
前記Ａ／Ｄ変換手段に設定されたサンプリングクロックの周波数に対応したデジタル映像信号に対する入力されるデジタル映像信号の関係において、時間軸で見てあるタイミングと一定時間経過後のタイミングでのデータの差が小さいほどクオリティが良いとするとき、
前記複数の候補の信号形態の信号のうち、最良となるクオリティが得られた候補となる信号の前記Ａ／Ｄ変換手段のパラメータを決定して当該パラメータにて前記Ａ／Ｄ変換手段を動作させて前記アナログ映像信号の水平解像度を算出し、
前記パラメータの一つである水平方向の画サイズと前記水平解像度に基づいて前記複数の候補の信号形態の中から前記アナログ映像信号の信号形態を特定するとともに、
前記複数の候補の信号形態の各々について、これら信号形態の信号を受けるように前記Ａ／Ｄ変換手段のサンプリングクロックの周波数を設定した上で、前記処理手段での前記自動画像補正機能の処理を実行して前記複数の候補の信号形態の各々の信号のクオリティを検出し、各クオリティを比較することによって前記最良となるクオリティが得られた候補となる信号を決定する
映像信号処理装置。
【請求項２】
前記Ａ／Ｄ変換手段のパラメータは、水平周期に対するＡ／Ｄ変換のサンプリング数およびサンプリングクロックの位相である
請求項１記載の映像信号処理装置。
【請求項３】
前記特定手段は、前記Ａ／Ｄ変換手段を動作させたときに、前記アナログ映像信号の水平ブランキング期間を検出し、前記水平周期と前記水平ブランキング期間との差分から前記水平解像度を算出する
請求項２記載の映像信号処理装置。
【請求項４】
各種機能を設定するメニューを表示するディスプレイ画面を有し、当該ディスプレイ画面のメニューの一つとして前記アナログ映像信号のアスペクト比を強制的に切り替えるモードが設定されている
請求項１記載の映像信号処理装置。
【請求項５】
入力されるアナログ映像信号をデジタル映像信号に変換するＡ／Ｄ変換手段と、前記Ａ／Ｄ変換手段から出力されるデジタル映像信号に対して自動画像補正機能の処理を実行する処理手段とを備えた映像信号処理装置において、
前記アナログ映像信号の信号形態を当該映像信号の水平／垂直の信号周波数、水平／垂直の同期信号極性および垂直ライン数に基づいて絞り込む絞込み工程と、
前記絞込み工程で絞り込んだ複数の候補の信号形態の中から前記アナログ映像信号の信号形態を特定する特定工程とを有し、
前記特定工程では、
前記Ａ／Ｄ変換手段に設定されたサンプリングクロックの周波数に対応したデジタル映像信号に対する入力されるデジタル映像信号の関係において、時間軸で見てあるタイミングと一定時間経過後のタイミングでのデータの差が小さいほどクオリティが良いとするとき、
前記複数の候補の信号形態の信号のうち、最良となるクオリティが得られた候補となる信号の前記Ａ／Ｄ変換手段のパラメータを決定して当該パラメータにて前記Ａ／Ｄ変換手段を動作させて前記アナログ映像信号の水平解像度を算出し、前記パラメータの一つである水平方向の画サイズと前記水平解像度に基づいて前記複数の候補の信号形態の中から前記アナログ映像信号の信号形態を特定するとともに、
前記複数の候補の信号形態の各々について、これら信号形態の信号を受けるように前記Ａ／Ｄ変換手段のサンプリングクロックの周波数を設定した上で、前記処理手段での前記自動画像補正機能の処理を実行して前記複数の候補の信号形態の各々の信号のクオリティを検出し、各クオリティを比較することによって前記最良となるクオリティが得られた候補となる信号を決定する
映像信号処理方法。
【発明の詳細な説明】
【技術分野】
【０００１】
本発明は、映像信号処理装置および映像信号処理方法に関し、特に入力される映像信号の信号形態の判別機能を備えた映像信号処理装置および映像信号処理方法に関する。
【背景技術】
【０００２】
昨今、ノート型パーソナルコンピュータ（以下、パソコンまたはＰＣと略称する）やデスクトップ型パーソナルコンピュータ等、ディスプレイ（表示部）を備えた電子機器において、ディスプレイのワイド画面化が進んでいる。また、ノートパソコンから出力される映像信号においても、ワイド画面に対応したＲ（赤）Ｇ（緑）Ｂ（青）信号が主流になりつつある。
【０００３】
ところで、ビデオ系の映像信号においてはアスペクト比などの考え方が存在する。これに対して、コンピュータ系の映像信号においてはアスペクト比などの考え方はあまり認知されていない。このため、例えば、ノートパソコンから出力されるＰＣ信号をプロジェクタに入力し、当該プロジェクタによって画像表示を行うシステムにおいては、受側のプロジェクタが入力された映像信号の信号形態（種別）を判別し、その判別結果に応じて画像表示を行うようにしている。
【０００４】
映像信号の信号形態を判別するに当たっては、従来、入力された映像信号から当該映像信号の水平／垂直の信号周波数および同期信号の極性を検出し、その検出結果を映像信号の仕様情報と照合することによって入力された映像信号の信号形態を判別するようにしていた（例えば、特許文献１参照）。
【０００５】
【特許文献１】特開２０００−３０５５５５号公報
【発明の開示】
【発明が解決しようとする課題】
【０００６】
ノートパソコンなどのコンピュータから出力されるＰＣ信号は、ディスプレイ規格（表示フォーマット）に準拠していない信号であり、非常に曖昧な信号が多く、受側でＰＣ信号の信号形態を正確に判別することが難しい、即ち水平／垂直の信号周波数および同期信号の極性が完全に一致する信号形態を映像信号の仕様情報の中から見つけ出すことが難しいため、水平／垂直の信号周波数にマージンを設けて映像信号の信号形態を判別し易くしている。
【０００７】
しかしながら、上述したように、ノートパソコンなどのコンピュータから出力されるＰＣ信号は、ディスプレイ規格に準拠していない信号であることから、ほぼ同一の水平／垂直の信号周波数および同期信号の極性の映像信号であっても、信号形態が異なる映像信号が存在する。したがって、このような映像信号が入力されたときは、水平／垂直の信号周波数にマージンを設けていることによって信号形態に誤判別が発生する場合がある。
【０００８】
また、ノートパソコンなどのコンピュータから出力されるＰＣ信号を、ケーブル等を介して受側（例えば、プロジェクタ）に入力する場合、ケーブル等で伝送する間にケーブルの長さで決まる線路抵抗や寄生容量などに起因して映像信号の周波数などに変動（ばらつき）が生じることがある。このようなときにも、水平／垂直の信号周波数にマージンを設けていることによって映像信号の信号形態に誤判別が発生する場合がある。
【０００９】
そこで、本発明は、外部からどのような信号形態で映像信号が入力されたとしても、当該映像信号の信号形態を確実に判別し、正常なアスペクト比で画像出力できる映像信号処理装置および映像信号処理方法を提供することを目的とする。
【課題を解決するための手段】
【００１０】
上記目的を達成するために、本発明は、入力されるアナログ映像信号をデジタル映像信号に変換するＡ／Ｄ変換手段と、前記Ａ／Ｄ変換手段から出力されるデジタル映像信号に対して自動画像補正機能の処理を実行する処理手段とを備えた映像信号処理装置において、先ず、前記アナログ映像信号の信号形態を当該映像信号の水平／垂直の信号周波数、水平／垂直の同期信号極性および垂直ライン数に基づいて絞り込み、次いで、絞り込んだ複数の候補の信号形態の中から前記アナログ映像信号の信号形態を特定する。
【００１１】
そして、信号形態を特定するに当たって、前記Ａ／Ｄ変換手段に設定されたサンプリングクロックの周波数に対応したデジタル映像信号に対する入力されるデジタル映像信号の関係において、時間軸で見てあるタイミングと一定時間経過後のタイミングでのデータの差が小さいほどクオリティが良いとするとき、前記複数の候補の信号形態の信号のうち、最良となるクオリティが得られた候補となる信号の前記Ａ／Ｄ変換手段のパラメータを決定して当該パラメータにて前記Ａ／Ｄ変換手段を動作させて前記アナログ映像信号の水平解像度を算出し、前記パラメータの一つである水平方向の画サイズと前記水平解像度に基づいて前記複数の候補の信号形態の中から前記アナログ映像信号の信号形態を特定するとともに、前記複数の候補の信号形態の各々について、これら信号形態の信号を受けるように前記Ａ／Ｄ変換手段のサンプリングクロックの周波数を設定した上で、前記処理手段での前記自動画像補正機能の処理を実行して前記複数の候補の信号形態の各々の信号のクオリティを検出し、各クオリティを比較することによって前記最良となるクオリティが得られた候補となる信号を決定するようにする。
【発明の効果】
【００１２】
本発明によれば、最終的に水平方向の画サイズと水平解像度に基づいて複数の候補の信号形態の中から入力映像信号の信号形態を特定することにより、ディスプレイ規格と水平解像度が僅かに異なるような信号形態についても判別することができるため、どのような信号形態の映像信号が入力されたとしてもその信号形態を判別して、当該入力映像信号を正常なアスペクト比で画像出力できる。
【発明を実施するための最良の形態】
【００１３】
以下、本発明の実施の形態について図面を参照して詳細に説明する。
【００１４】
図１は、本発明による映像信号処理装置を備えた例えばプロジェクタのシステム構成の一例を示すブロック図である。
【００１５】
図１に示すように、本プロジェクションシステムは、Ｒ，Ｇ，Ｂの各ＬＣＤ（液晶）パネル１０Ｒ，１０Ｇ，１０Ｂと、これらＬＣＤパネル１０Ｒ，１０Ｇ，１０Ｂを駆動するパネルドライバ２０Ｒ，２０Ｇ，２０Ｂと、種々の画像処理を行う画像処理回路３０と、本発明が適用される映像信号処理装置４０とを有する構成となっている。
【００１６】
映像信号処理装置４０は、Ａ／Ｄコンバータ４１、同期分離回路４２、ＣＰＵ４３およびスケーラー４４によって構成されている。
【００１７】
Ａ／Ｄコンバータ４１は、入力されるアナログＲＧＢ信号を、当該アナログＲＧＢ信号から同期分離回路４２で分離した水平同期信号ＨＳｙｎｃおよび垂直同期信号ＶＳｙｎｃに同期してデジタルＲＧＢ信号に変換する。
【００１８】
同期分離回路４２は、入力されるアナログＲＧＢ信号から水平同期信号ＨＳｙｎｃおよび垂直同期信号ＶＳｙｎｃを分離する機能に加えて、アナログＲＧＢ信号の水平周波数ｆＨおよび垂直周波数ｆＶを判別する機能を持っている。
【００１９】
ＣＰＵ４３は、同期分離回路４２から水平／垂直の信号周波数ｆＨ／ｆＶおよび水平／垂直の同期信号極性を取得し、Ａ／Ｄコンバータ４１およびスケーラー４４との間で通信を行って、同期分離回路４２から取得した信号周波数ｆＨ／ｆＶおよび同期信号極性を基にＡ／Ｄコンバータ４１およびスケーラー４４での処理の制御を行なう。その処理の制御は本実施形態の特徴とする部分であり、その詳細については後述する。
【００２０】
スケーラー４４は、入力されたデジタルＲＧＢ信号に対して、当該ＲＧＢ信号に基づく画像の縮小、切り出し、ズーミングなど、画像の伸縮調整処理を行う。スケーラー４４はさらに、ドットのずれやゴーストによる画像の不鮮明さをなくすために、画面サイズや画面位置（シフト）の補正を自動的に行う機能（以下、この機能を自動画像補正機能と記述する）を持っている。この自動画像補正機能は周知の技術である。
【００２１】
なお、ここでは、ＣＰＵ４３とスケーラー４４を別ブロックとして示したが、モデルによってはＣＰＵ４３とスケーラー４４を１チップで構成する場合もある。
【００２２】
上記構成の映像信号処理装置４０において、本実施形態では、ＣＰＵ４３による制御の下に、Ａ／Ｄコンバータ４１およびスケーラー４４での各処理の制御を行うことにより、入力されるＲＧＢ信号がディスプレイ規格（表示フォーマット）に準拠していない場合においても、最適な信号条件を割り出して条件一致させる処理を実行することを特徴としている。以下に、その具体的な実施例について説明する。
【００２３】
［実施例］
図２は、最適な信号条件を割り出して条件一致させるための処理手順の一例を示すフローチャートである。この一連の処理は、ＣＰＵ４３による制御の下に実行される。
【００２４】
また、この処理の実行に当たっては、ＸＧＡ，ＷＸＧＡ，ＵＸＧＡ等種々のディスプレイ規格に準拠した映像信号に限らず、規格に準拠していない映像信号も含めて、あらゆる映像信号の信号形態（仕様情報）が信号情報テーブルとしてスケーラー４４内の記憶領域に格納されているものとする。
【００２５】
ここで、映像信号の信号形態（仕様情報）とは、解像度（水平方向画素数×垂直方向画素数）、水平信号周波数ｆＨ、垂直信号周波数ｆＶおよび水平方向の画サイズ（横幅）ＨＴｏｔａｌなどを言うものとする。水平方向の画サイズＨＴｏｔａｌについては後で説明する。
【００２６】
図２のフローチャートにおいて、ＣＰＵ４３は先ず、同期分離回路４２から水平／垂直の信号周波数ｆＨ／ｆＶおよび水平／垂直の同期信号極性を取得し（ステップＳ１１）、次いで、この取得した信号周波数ｆＨ／ｆＶおよび同期信号極性を基に、ＣＰＵ４３もしくはスケーラー４４内の記憶領域に信号情報テーブルとして格納されている各種の映像信号の信号形態と照合し、マッチする信号形態を検索することにより、入力されたＲＧＢ信号の信号形態を判別する（ステップＳ１２）。
【００２７】
ここで、先述したように、ノートパソコンなどのコンピュータから出力されるＰＣ信号は、ディスプレイ規格に準拠していない信号であり、非常に曖昧な信号が多い。したがって、水平／垂直の信号周波数ｆＨ／ｆＶおよび水平／垂直の同期信号極性が完全に一致する信号形態を映像信号の仕様情報の中から見つけ出すことが難しい。
【００２８】
そこで、信号周波数ｆＨ／ｆＶにマージンを設けて映像信号の信号形態を判別し易くしている。このように、信号周波数ｆＨ／ｆＶにマージンを設けていることで、ステップＳ１２の信号形態の判別処理では、入力されたＲＧＢ信号の信号形態として複数の信号形態の映像信号が判別される可能性が高くなる。
【００２９】
ＣＰＵ４３は信号形態の判別処理後、ステップＳ１２での判別結果に対応する映像信号が１つであるか否かを判断し（ステップＳ１３）、１つであれば、その映像信号の信号形態を入力されたＲＧＢ信号の信号形態として一連の処理を終了する。
【００３０】
一方、ステップＳ１２での判別結果に対応する映像信号が複数であれば、水平同期信号から求まる垂直ライン数を基に、スケーラー４４内の記憶領域に信号情報テーブルとして格納されている各種の映像信号の信号形態と照合することにより、入力されたＲＧＢ信号の信号形態を判別する（ステップＳ１４）。垂直ライン数は、垂直方向の画素数に相当する。
【００３１】
続いて、ＣＰＵ４３は、垂直ライン数が一致する映像信号の信号形態が１つであるか印加を判断し（ステップＳ１５）、１つであれば、その映像信号の信号形態を入力されたＲＧＢ信号の信号形態として一連の処理を終了する。
【００３２】
一方、垂直ライン数が一致する映像信号の信号形態が複数であれば、その複数の信号形態の中から１つに絞り込んで、入力された映像信号の信号形態を特定する処理に移行する（ステップＳ１６）。このステップＳ１６での具体的な処理が本実施形態の特徴とするところであり、その処理の詳細について以下に説明する。
【００３３】
（信号形態の特定処理）
図３は、垂直ライン数が一致する複数の信号形態の中から１つに絞り込んで、入力された映像信号の信号形態を特定するための処理手順の一例を示すフローチャートである。
【００３４】
ここでは、一例として、ＷＸＧＡの信号形態（解像度１２８０×７６８、ｆＨ＝４７．７８ｋＨｚ、ｆＶ＝５９．８７Ｈｚ、ＨＴｏｔａｌ＝１６６４）の映像信号が入力されたときに、ｆＨ／ｆＶが酷似した信号形態（解像度１３６０×７６８、ｆＨ＝４７．７２ｋＨｚ、ｆＶ＝５９．８０Ｈｚ、ＨＴｏｔａｌ＝１７７６）の映像信号と弁別する場合を例に挙げて説明するものとする。
【００３５】
この２つの信号形態が、図２のフローチャートにおけるステップＳ１５までの処理で、入力されたＲＧＢ信号の信号形態の候補として絞り込まれた複数の信号形態となる。すなわち、２つの信号形態ＷＸＧＡ１２８０×７６８＠６０ＨｚとＷＸＧＡ１３６０×７６８＠６０Ｈｚは、水平／垂直の信号周波数ｆＨ／ｆＶが４７．７８ｋＨｚ／５９．８７Ｈｚと４７．７２ｋＨｚ／５９．８０Ｈｚで非常に酷似しており、しかも垂直ライン数が７６８で一致している。
【００３６】
図２のフローチャートにおけるステップＳ１５までの処理で、入力されたＲＧＢ信号の信号形態を１つの候補に絞り込めないことから、ＣＰＵ４３は先ず、ＷＸＧＡ１２８０×７６８＠６０Ｈｚの映像信号を受けるように、Ａ／Ｄコンバータ４１に対してサンプリングクロックの周波数を設定した上で、スケーラー４４での先述した自動画像補正機能の処理を実行する（ステップＳ２１）。
【００３７】
ＣＰＵ４３は次いで、スケーラー４４の入力段に設けられたデジタル信号入力ブロック（図示せず）にて検出されるＷＸＧＡ１２８０×７６８＠６０Ｈｚの映像信号のクオリティを取り込んで記録する（ステップＳ２２）。映像信号のクオリティについては後で説明する。
【００３８】
続いて、ＣＰＵ４３は、別の候補の信号であるＷＸＧＡ１３６０×７６８＠６０Ｈｚの映像信号を受けるように、Ａ／Ｄコンバータ４１に対してサンプリングクロックの周波数を設定した上で、スケーラー４４での自動画像補正機能を実行し（ステップＳ２３）、次いで、スケーラー４４のデジタル信号入力ブロックにて検出されるＷＸＧＡ１３６０×７６８＠６０Ｈｚの映像信号のクオリティを取り込んで記録する（ステップＳ２４）。
【００３９】
次に、ＣＰＵ４３は他に候補となる信号があるか否かを判断する（ステップＳ２５）。本例では、２つの信号形態を候補として絞り込んだ場合を例に挙げているが、さらに候補となる信号が他にあるのであれば、ステップＳ２３に戻って、この他の候補となる信号についてステップＳ２３，Ｓ２４の各処理を実行する。
【００４０】
候補となる信号すべてについてスケーラー４４での自動画像補正機能の処理が終了したのであれば、その処理結果のクオリティを候補となる信号すべてについて比較し、最良となるクオリティが得られた候補となる信号のＡ／Ｄコンバータ４１のＡＤＣ設定を信号情報テーブルから検索して決定する（ステップＳ２６）。ここで、ＡＤＣ設定のパラメータとしては、水平方向の画サイズＨＴｏｔａｌおよびサンプリングクロックの位相などが挙げられる。
【００４１】
次に、ＣＰＵ４３は、ステップＳ２６で決定したＡＤＣ設定にてＡ／Ｄコンバータ４１を動作させ（ステップＳ２７）、次いで、スケーラー４４の入力段に設けられたデジタル信号入力ブロックにて映像信号の水平ブランキング期間ＨＢｌｋを検出し（ステップＳ２８）、次いで、図４に示すように、ＡＤＣ設定の水平方向の画サイズＨＴｏｔａｌ、即ち水平周期と水平ブランキング期間ＨＢｌｋとの差分（ＨＴｏｔａｌ−ＨＢｌｋ）から入力された映像信号の水平解像度（映像信号期間）を算出する（ステップＳ２９）。
【００４２】
次に、ＣＰＵ４３は、水平方向の画サイズＨＴｏｔａｌと水平解像度に基づいて、最終的に複数の信号候補の中から最適な１つを絞り込み、その映像信号の信号形態を入力された映像信号の信号形態として決定する（ステップＳ３０）。
【００４３】
この決定の結果はスケーラー４４にフィードバックされる。これを受けて、スケーラー４４は、入力映像信号の信号形態に対応したアスペクト比で画像が表示されるように、アスペクト比を設定する処理を行う。
【００４４】
以上説明した一連の動作説明から明らかなように、ＣＰＵ４３は、アナログ映像信号の信号形態を当該映像信号の水平／垂直の信号周波数ｆＨ，ｆＶ、水平／垂直の同期信号極性および垂直ライン数に基づいて絞り込む絞込み手段と、この絞り込んだ複数の候補の信号形態の中から入力アナログ映像信号の信号形態を特定する特定手段としての機能を持っている。
【００４５】
（ＡＤＣ設定）
ここで、ステップＳ２６で決定するＡ／Ｄコンバータ４１のＡＤＣ設定について説明する。ＡＤＣ設定のパラメータは、先述したように、水平方向の画サイズＨＴｏｔａｌおよびサンプリングクロックの位相である。
【００４６】
図５に、水平同期信号ＨＳｙｎｃ、Ａ／Ｄコンバータ４１から出力される映像データおよびＡ／Ｄコンバータ４１のサンプリングクロックのタイミング関係を示す。
【００４７】
水平方向の画サイズ（横幅）ＨＴｏｔａｌは、水平周期に対応し、当該水平周期に対するＡ／Ｄ変換のサンプリング数（サンプリングクロックのクロック数）を言う。そして、この水平方向の画サイズＨＴｏｔａｌによってサンプリングクロックの周期が決まる。
【００４８】
したがって、水平方向の画サイズＨＴｏｔａｌの設定が適切でないと、映像データの解像度に対してＡ／Ｄ変換のサンプリング数が合わなくなる。
【００４９】
サンプリングクロックの位相は、映像データに対する位相を言う。映像データに対してサンプリングクロックの位相がずれると、Ａ／Ｄコンバータ４１でのＡ／Ｄ変換において適切なデジタル値が得られない。
【００５０】
（映像信号のクオリティ）
続いて、映像信号のクオリティについて具体的に説明する。このクオリティは、先述したように、スケーラー４４の入力段に設けられたデジタル信号入力ブロックにて検出される。
【００５１】
Ａ／Ｄコンバータ４１に対して設定されるＡＤＣ設定のパラメータ、即ち水平方向の画サイズＨＴｏｔａｌやサンプリングクロックの位相が、入力されるアナログ映像信号に対して最適でない場合、Ａ／Ｄ変換のサンプリングが適正状態からずれるため、サンプリングの結果得られるデジタル値が、本来得られる値に対して差が生じる。逆に、ＡＤＣ設定のパラメータの設定が最適な場合、デジタル値に差が生じない。
【００５２】
また、時間軸で見た場合、同じアナログ入力データに対してジッターを起こしたようなデジタルデータになる。Ａ／Ｄ変換されたデジタル値はスケーラー４４にキャプチャデータとして入力される。そして、スケーラー４４の入力段に設けられたデジタル信号入力ブロックの機能により、このデジタル映像データのクオリティを調べることができる。
【００５３】
一例として、Ａ／Ｄコンバータ４１に設定されたサンプリングクロックの周波数に対応した映像データに対して、時間軸で見て同一デジタル映像データが入力された場合は、あるタイミングとしばらく時間経過したタイミングでデータに差は無い。一方、時間軸で見て異なるデジタル映像データが入力された場合は、この時間経過によるデータに差が生じていると考えられる。したがって、この差が小さいほどクオリティが良い、ということになる。
【００５４】
このことから、ステップＳ２６の処理において、最良となるクオリティが得られた候補となる信号が、時間経過によるデータの差が一番小さく、ステップＳ２１またはＳ２３でＡ／Ｄコンバータ４１に設定されたサンプリングクロックの周波数に対応した映像データに対してほぼ同一の映像データということになる。
【００５５】
なお、上記の例では、ＷＸＧＡの信号形態（解像度１２８０×７６８、ｆＨ＝４７．７８ｋＨｚ、ｆＶ＝５９．８７Ｈｚ、ＨＴｏｔａｌ＝１６６４）の映像信号が入力されたときに、ｆＨ／ｆＶが酷似した信号形態（解像度１３６０×７６８、ｆＨ＝４７．７２ｋＨｚ、ｆＶ＝５９．８０Ｈｚ、ＨＴｏｔａｌ＝１７７６）の映像信号と弁別する場合を例に挙げて説明したが、これは一例に過ぎず、これに限定されるものではない。
【００５６】
上述したように、入力映像信号の信号形態についてその候補として、水平／垂直の信号周波数ｆＨ，ｆＶおよび水平／垂直の同期信号極性、さらに垂直ライン数に基づいて、あらかじめ登録されている信号情報テーブルの中から複数の信号形態に絞り込み、これら複数の候補の信号形態の信号のうち、最良となるクオリティが得られた候補となる信号のＡＤＣ設定のパラメータを決定して当該パラメータにてＡ／Ｄコンバータ４１を動作させて入力映像信号の水平解像度を算出し、最終的に水平方向の画サイズＨＴｏｔａｌと水平解像度に基づいて複数の候補の信号形態の中から入力映像信号の信号形態を特定することにより、ディスプレイ規格と水平解像度が僅かに異なるような信号形態についてもその信号形態を判別することができる。
【００５７】
これにより、ノートパソコンなどのコンピュータから出力される、信号形態がディスプレイ規格に準拠していない信号や、ケーブル等の影響によって伝送中に周波数などに変動（ばらつき）が生じて信号形態がディスプレイ規格からずれてしまった信号など、どのような信号形態の映像信号が入力されたとしてもその信号形態を判別できるために、規格外のどのような信号でもアスペクト比を維持しつつ画像を忠実に再現（表示）させることができる。
【００５８】
なお、本実施形態に係る映像信号処理装置では、上述した信号形態の判別シーケンスでも救いきれない（信号形態を特定できない）ケースが生じることを想定して、強制的にアスペクト比を切り替えるモードを、図６に示すように、ＯＳＤ(On Screen Display)メニューに設けるようにしている。
【００５９】
具体的には、「Ｓｉｇｎａｌ」「Ａｓｐｅｃｔ」のメニューから、「Ｅｎｔｅｒ  Ｋｅｙ」で「４：３」と「１６：９」を選択することにより強制的にアスペクト比を切り替えることができる。なお、信号により表示項目は異なる。
【００６０】
アスペクト切り替えのイメージを図７に示す。プロジェクタ側のパネルアスペクト比が４：３で、アスペクト比が１６：９の映像信号が入力されたとき、ＯＳＤ選択肢が４：３では表示画像は縦長の画像となり、ＯＳＤ選択肢が１６：９では上下に黒帯が表示され、表示画像は正常な画像となる。
【００６１】
プロジェクタ側のパネルアスペクト比が４：３で、アスペクト比が４：３の映像信号が入力されたとき、ＯＳＤ選択肢が４：３では表示画像は正常な画像となり、ＯＳＤ選択肢が１６：９では上下に黒帯が表示されるものの、表示画像は横長の画像となる。
【００６２】
プロジェクタ側のパネルアスペクト比が１６：９で、アスペクト比が１６：９の映像信号が入力されたとき、ＯＳＤ選択肢が４：３では左右の縦帯が表示されるものの、表示画像は縦長の画像となり、ＯＳＤ選択肢が１６：９では表示画像は正常な画像となる。
【００６３】
プロジェクタ側のパネルアスペクト比が１６：９で、アスペクト比が４：３の映像信号が入力されたとき、ＯＳＤ選択肢が４：３では左右の縦帯が表示され表示画像は正常な画像となり、ＯＳＤ選択肢が１６：９では表示画像は横長の画像となる。
【００６４】
このように、強制的にアスペクト比を切り替えるモードをＯＳＤメニューに設けることにより、ユーザによる切り替えにより、４：３などのアスペクト比の信号を強制的にワイド信号として扱うことが可能になり、逆に、１６：９の信号を４：３の信号に強制的にアスペクト切り替えすることが可能になるため、先述した信号形態の判別シーケンスでも救いきれないような信号が入力された場合でも、アスペクト比を維持することができる。
【００６５】
なお、上記実施形態では、プロジェクタに適用した場合を例に挙げて説明したが、本発明は、プロジェクタへの適用に限られるものではなく、例えば通常のテレビジョンシステムなどにも適用することが可能である。
【図面の簡単な説明】
【００６６】
【図１】本発明による映像信号処理装置を備えたプロジェクタのシステム構成の一例を示すブロック図である。
【図２】最適な信号条件を割り出して条件一致させるための処理手順の一例を示すフローチャートである。
【図３】垂直ライン数が一致する複数の信号形態の中から、入力されたＲＧＢ信号の信号形態を特定するための処理手順の一例を示すフローチャートである。
【図４】水平方向の画サイズＨＴｏｔａｌ、水平ブランキング期間ＨＢｌｋおよび入力映像信号水平解像度の関係を示すタイミング波形図である。
【図５】水平同期信号ＨＳｙｎｃ、映像データおよびＡ／Ｄコンバータのサンプリングクロックのタイミング関係を示すタイミング波形図である。
【図６】アスペクト切り替えＯＳＤメニューの一例を示す図である。
【図７】アスペクト切り替えのイメージを示す図である。
【符号の説明】
【００６７】
１０Ｒ，１０Ｇ，１０Ｂ…ＬＣＤパネル、２０Ｒ，２０Ｇ，２０Ｂ…パネルドライバ、３０…画像処理回路、４０…映像信号処理装置、４１…Ａ／Ｄコンバータ、４２…同期分離回路、４３…ＣＰＵ、４４…スケーラー
【図１】
0004363464.tif 000002
【図２】
0004363464.tif 000003
【図３】
0004363464.tif 000004
【図４】
0004363464.tif 000005
【図５】
0004363464.tif 000006
【図６】
0004363464.tif 000007
【図７】
0004363464.tif 000008